(57)【要約】【課題】異物による問題を防止する。【解決手段】ホッパ装置は、ベース板５６の上面に、ロータリーディスク５４が設けられている。ロータリーディスク５４は、メダル保持孔７２を備え、メダル保持孔７２に入ったメダルを保持して回転する。ベース板５６は、送風／吸気口９０を備え、箱体の上面に配置される。また、ベース板５６の背面にはファン９２が取り付けられている。ファン９２が駆動されると送風／吸気口９０から送風または吸気が行われる。送風／吸気口９０から送風が行われると、送風／吸気口９０の近傍の異物を吹き飛ばすことができる。また、送風／吸気口９０から吸気が行われると、送風／吸気口９０を介して異物が箱体内に吸引される。【選択図】図３
2009142549.tif 000002
【特許請求の範囲】
【請求項１】
メダルを保持する複数のメダル保持孔が回転方向に沿って並べて形成され、メダルを保持して回転するロータリーディスクを備え、前記ロータリーディスクの回転に応じて前記メダル保持孔に保持されたメダルを前記ロータリーディスクの側方に払い出すメダル払い出し装置において、
前記ロータリーディスクの下面と対面するように配置され、前記メダル保持孔から前記ロータリーディスクの下方にメダルが落下することを防止する下面板と、
前記下面板のうち前記メダル保持孔と対面する位置に、前記下面板を貫通するように形成された開口と、
前記開口から送風、または、吸気の少なくとも一方を行うファンとを備えたことを特徴とするメダル払い出し装置。
【請求項２】
外周に複数の図柄が配置され、遊技開始に伴って回転を開始するリールを備え、前記リールが停止したときに所定の当選役に対応する図柄が表示されてこの当選役が入賞となった際に、入賞した当選役に対応する枚数のメダルを払い出すスロットマシンにおいて、
請求項１記載のメダル払い出し装置を備え、このメダル払い出し装置によりメダルの払い出しを行うことを特徴とするスロットマシン。
【請求項３】
金銭または有価媒体に記憶された残額の減算と引き替えにメダルを払い出すメダル貸出機において、
請求項１記載のメダル払い出し装置を備え、このメダル払い出し装置によりメダルの払い出しを行うことを特徴とするメダル貸出機。
【発明の詳細な説明】
【技術分野】
【０００１】
本発明は、メダルの払い出しを行うメダル払い出し装置、及び、これを用いるスロットマシン、メダル貸出機に関するものである。
【背景技術】
【０００２】
パチンコ店などの遊技場に設置される遊技機として、スロットマシンが知られている。スロットマシンでは、メダル貸出機に金銭またはプリペイドカード（有価媒体）を投入することよって、金銭またはプリペイドカードの残額の減算と引き替えに貸し出されたメダルを用いて遊技が行われる。そして、遊技の結果、所定の当選役が入賞すると、入賞した当選役に応じた枚数のメダルが払い出される。
【０００３】
スロットマシンやメダル貸出機には、当選役や投入金額またはプリペイドカードの残額の減算額に応じた枚数のメダルを払い出すメダル払い出し装置が設けられている。メダル払い出し装置は、メダルを保持する複数のメダル保持孔が回転方向に沿って並べて形成されたロータリーディスクを備えている。そして、メダル払い出し装置は、ロータリーディスクの回転に応じてメダル保持孔に保持されたメダルをロータリーディスクの側方に払い出す。
【０００４】
しかし、スロットマシンやメダル貸出機から払い出されたメダルが汚れていると遊技者に不快な思いをさせてしまうといった問題がある。このため、下記特許文献１では、ロータリーディスクの上面に洗浄部材を設け、ロータリーディスクの回転により、メダルの汚れを払拭するようにした装置が記載されている。
【特許文献１】特開２００６−２１２３３２号公報
【発明の開示】
【発明が解決しようとする課題】
【０００５】
しかしながら、従来のメダル払い出し装置は、ゴミなどの異物に対する対策が十分であると言い難く、例えば、メダル保持孔に異物が詰まってロータリーディスクがスムーズに回転できなくなるなどといった異物に起因する問題があった。
【０００６】
本発明は上記背景を鑑みてなされたものであり、例えば、メダル保持孔に異物が詰まってロータリーディスクがスムーズに回転できなくなるなどといった異物に起因する問題を防止できるメダル払い出し装置、スロットマシン、メダル貸出機を提供することを目的としている。
【課題を解決するための手段】
【０００７】
上記目的を達成するために、本発明のメダル払い出し装置は、メダルを保持する複数のメダル保持孔が回転方向に沿って並べて形成され、メダルを保持して回転するロータリーディスクを備え、前記ロータリーディスクの回転に応じて前記メダル保持孔に保持されたメダルを前記ロータリーディスクの側方に払い出すメダル払い出し装置において、前記ロータリーディスクの下面と対面するように配置され、前記メダル保持孔から前記ロータリーディスクの下方にメダルが落下することを防止する下面板と、前記下面板のうち前記メダル保持孔と対面する位置に、前記下面板を貫通するように形成された開口と、前記開口から送風、または、吸気の少なくとも一方を行うファンとを備えたことを特徴としている。
【０００８】
また、本発明のスロットマシンは、外周に複数の図柄が配置され、遊技開始に伴って回転を開始するリールを備え、前記リールが停止したときに所定の当選役に対応する図柄が表示されてこの当選役が入賞となった際に、入賞した当選役に対応する枚数のメダルを払い出すスロットマシンにおいて、前述したファンや開口を有するメダル払い出し装置を備え、このメダル払い出し装置によりメダルの払い出しを行うことを特徴としている。
【０００９】
さらに、本発明のメダル貸出機は、金銭または有価媒体に記憶された残額の減算と引き替えにメダルを払い出すメダル貸出機において、前述したファンや開口を有するメダル払い出し装置を備え、このメダル払い出し装置によりメダルの払い出しを行うことを特徴としている。
【発明の効果】
【００１０】
本発明によれば、ロータリーディスクの下面と対面するように配置された下面板に開口を設け、この開口から送風または吸気を行うようにしたので、異物を吹き飛ばしたり、吸引することができる。これにより、異物に起因する問題を防止できる。
【発明を実施するための最良の形態】
【００１１】
図１に示すように、パチンコ店の島設備１０には、メダル貸出機２０やスロットマシン３０が設けられており、これらメダル貸出機２０やスロットマシン３０の内部には、メダルの払い出しを行うホッパ装置（メダル払い出し装置）５０（図２参照）が設置されている。メダル貸出機２０は、紙幣投入口２２、受け皿２４を備え、紙幣投入口２２に紙幣が投入されるとホッパ装置５０を駆動し、投入された紙幣の金額に応じた枚数のメダルを受け皿２４に払い出す。
【００１２】
スロットマシン３０は、メダル投入口３１、スタートレバー３２を備え、メダル貸出機２０から払い出された（貸し出された）メダルをメダル投入口３１に投入し、スタートレバー３２を操作することで遊技を開始できる。また、スロットマシン３０は、外周に複数種類の図柄が配列されたリール３３ａ、３３ｂ、３３ｃ、各リール３３ａ、３３ｂ、３３ｃの回転を停止させるためのストップボタン３４ａ、３４ｂ、３４ｃを備えている。各リール３３ａ、３３ｂ、３３ｃは、遊技開始に伴って一斉に回転を開始し、対応するストップボタン３４ａ、３４ｂ、３４ｃの操作に伴って個別に停止する。スロットマシン３０は、全てのリールの回転が停止した際に、所定の当選役に対応する図柄が表示されてこの当選役が入賞となるとホッパ装置５０を駆動し、入賞した当選役に対応する枚数のメダルを受け皿３６に払い出す。
【００１３】
図２に示すように、ホッパ装置５０は、メダル貯留箱５２、ロータリーディスク５４、ベース板（下面板）５６、箱体５８を備えている。メダル貯留箱５２は、上面が開口しており、この開口から投入されたメダルを貯留する。メダル貯留箱５２に貯留されるメダルは、前述のようにメダル投入口３１から投入されるばかりでなく、島設備１０に設けられたメダル供給装置（図示せず）などからも供給される。メダル貯留箱５２は、下方へ向かうほど窄まるように形成されており、メダル貯留箱５２の下面の略中央部には、ロータリーディスク５４を露呈させる開口６０が設けられている。そして、メダル貯留箱５２に貯留されたメダルは、開口６０からロータリーディスク５４に案内される。
【００１４】
図３に示すように、ロータリーディスク５４は、上板６２と下板６４とが一体化されたものであり、ベース板５６の上面に突出した回転軸６６に取り付けられて回転自在に保持される。上板６２には、複数のメダル孔６８が形成されている。メダル孔６８は、内径がメダルの外径よりも僅かに大きく形成されており、ロータリーディスク５４の回転方向に沿って並べて配置されている。下板６４は、厚みがメダルの厚みよりも僅かに厚く形成されるとともに、メダル孔６８に対応する位置に切り欠き７０が形成されている。
【００１５】
メダル貯留箱５２からロータリーディスク５４に案内されたメダルは、メダル孔６８を介して切り欠き７０内に入る。切り欠き７０内に入ったメダルは、ベース板５６により下方から支持されてロータリーディスク５４の下方へ落下することが防止され、切り欠き７０内に保持される。このように、ホッパ装置５０では、メダル孔６８と切り欠き７０とがメダル保持孔（以下、メダル保持孔７２と称する）として機能する。そして、メダル保持孔７２により保持されたメダルは、ロータリーディスク５４の回転に伴って移動される。
【００１６】
ベース板５６の背面には、前述した回転軸６６を回転させる払い出しモータ７４が取り付けられており、ロータリーディスク５４は、この払い出しモータ７４の回転に伴って回転する。また、ベース板５６の上面には、収納部７６及びメダル通路７８として機能する窪み８０が設けられている。収納部７６には、ロータリーディスク５４が配置される。そして、メダル保持孔７２に保持されたメダルは、収納部７６（窪み８０）の側壁７６ａによりロータリーディスク５４の側方への移動が規制され、ロータリーディスク５４とともに移動する。
【００１７】
メダル通路７８は、収納部７６の側壁７６ａを切り欠くように形成されており、ホッパ装置５０から払い出されるメダルが通過する。収納部７６には、ピン８２、８４が設けられている。そして、ロータリーディスク５４とともに回転するメダルは、このピン８２、８４によりメダル保持孔７２からメダル通路７８に案内されて、ホッパ装置５０から払い出される。
【００１８】
メダル通路７８の近傍には、メダル通路７８を通過したメダルの枚数をカウントするためのアーム８６が設けられている。アーム８６は、第１位置と第２位置との間で回動自在に設けられており、図示しないバネにより第１位置へ向けて付勢されている。第１位置は、アーム８６の一端部８６ａがメダル通路７８内に配置された位置であり、第２位置は、一端部８６ａがメダル通路７８内から退避された位置である。そして、アーム８６は、メダル通路７８を通過するメダルにより押圧されて第１位置から第２位置へ向けて移動され、メダルがメダル通路７８を通過するとバネの付勢により第１位置に戻る。ホッパ装置５０では、このアーム８６の移動を、後述するセンサ８８より検出し、何枚のメダルが払い出されたかを検知している。
【００１９】
また、ベース板５６には複数の送風／吸気口（開口）９０が設けられるとともに、ベース板５６の背面にはファン９２が取り付けられている。送風／吸気口９０は、ベース板５６を貫通するように設けられ、ロータリーディスク５４が回転した際に各メダル保持孔７２と対面するように、ロータリーディスク５４の回転方向に沿って並べて配置されている。送風／吸気口９０は、メダル保持孔７２に保持されたメダルが落下しないように、その大きさ及び形状が決定されている。
【００２０】
図４に示すように、ファン９２は、ホルダ９４に、回転羽根９６、係止部材９８、送風／吸気モータ１００が取り付けられたものであり、払い出しモータ７４の配置スペースを確保するために中空のドーナツ型に形成されている（図３参照）。ホルダ９４は、第１円筒９４ａと第１円筒９４ａの外側に配置される第２円筒９４ｂとが、３本の第１連結梁９４ｃ及び第１連結梁９４ｃよりも幅広に形成された第２連結梁９４ｄによって連結されたものである。第２円筒９４ｂには、ステー９４ｅが設けられており、ファン９２は、ステー９４ｅがベース板５６の背面にネジ止めされてベース板５６に取り付けられる。また、第２連結梁９４ｄには、送風／吸気モータ１００が取り付けられ、送風／吸気モータ１００の駆動軸１００ａにはギア１００ｂが取り付けられている。
【００２１】
回転羽根９６は、第３円筒９６ａの外周に複数の羽根９６ｂ及び歯列９６ｃが設けられたものである。第３円筒９６ａは、内径が第１円筒９４ａの外径よりも僅かに大きく形成され、回転羽根９６は、第３円筒９６ａが第１円筒９４ａの外側に配置されてホルダ９４に取り付けられる。係止部材９８は、外径が第１円筒９４ａの内径とほぼ等しく形成された第４円筒９８ａを備え、回転羽根９６がホルダ９４に取り付けられた後、第１円筒９４ａの内側に嵌め込まれてホルダ９４に固定される。第４円筒９８ａの一端部には、回転羽根９６がホルダ９４から脱落することを防止するためのフランジ９８ｂが形成されている。これにより、回転羽根９６は、第１円筒９４ａ周りに回転自在に保持される。
【００２２】
また、回転羽根９６がホルダ９４に取り付けられると歯列９６ｃがギア１００ｂと歯合する。これにより、送風／吸気モータ１００が回転すると、この駆動力がギア１００ｂを介して回転羽根９６に伝達され、回転羽根９６が回転する。そして、送風／吸気口９０から送風または吸気が行われる。なお。本実施形態では、送風／吸気モータ１００が正転することで送風／吸気口９０から送風され、送風／吸気モータ１００が逆転することで送風／吸気口９０から吸気される例で説明する。
【００２３】
図５に示すように、箱体５８は、上面が開口しており、ここにベース板５６が取り付けられる。箱体５８は、側面に吸排気口１０２が形成されており、送風／吸気口９０から送風されている間は吸排気口１０２から箱体５８内に外気が吸気され、送風／吸気口９０から吸気されている間は吸排気口１０２から箱体５８内の空気が排出される。また、箱体５８には、送風／吸気口９０から吸気された際に箱体５８内に落下した異物を回収するためのトレイ１０４が設けられている。トレイ１０４は、箱体５８内に挿入された挿入位置（図２に示す位置）と、箱体５８から引き出された引き出し位置（図５に示す位置）との間でスライド自在に設けられる。さらに、箱体５８の側面には、送風／吸気口９０から吸気を行う際に操作される操作ボタン１０６が設けられている。
【００２４】
図６に示すように、ホッパ装置５０の内部には、制御部１１０が設けられており、制御部１１０には、操作ボタン１０６や、アーム８６の動きを検出するためのセンサ８８、払い出しモータ７４、送風／吸気モータ１００が接続されている。そして、制御部１１０は、図７に示すように、操作ボタン１０６が押下されている間、送風／吸気モータ１００を逆回転させて送風／吸気口９０から吸気を行う。
【００２５】
また、制御部１１０は、メダル貸出機本体またはスロットマシン本体と接続されており、これらから払い出すメダル枚数の情報を含む払い出し指示が入力される（図６参照）。そして、制御部１１０は、図８に示すように、払い出し指示が入力されると、払い出しモータ７４を駆動してロータリーディスク５４を回転させ、メダルの払い出しを開始する。また、制御部１１０は、このメダルの払い出し開始とともに送風／吸気モータ１００を正回転させて、送風／吸気口９０から送風を開始する。
【００２６】
制御部１１０は、ロータリーディスク５４の回転中、センサ８８からの信号に基づき、指示された枚数のメダルが払い出されたか否かを検知している。そして、制御部１１０は、指示された枚数のメダルが払い出されたと検知された場合（払い出しが完了した場合）、払い出しモータ７４を停止させてロータリーディスク５４の回転を停止させる。また、制御部１１０は、ロータリーディスク５４の回転停止とともに、送風／吸気モータ１００を停止させてファン９２を停止させる。
【００２７】
以下、上記構成による本発明の作用について説明する。ホッパ装置５０では、操作ボタン１０６を押下している間、送風／吸気口９０から吸気が行われる。送風／吸気口９０から吸気が行われると、異物が送風／吸気口９０を介して箱体５８内に吸引されてトレイ１０４内に溜まる。トレイ１０４に溜まった異物は、箱体５８からトレイ１０４を引き出すことによって回収できる。このように、異物を吸引することで異物による問題を防止できる。
【００２８】
また、ホッパ装置５０では、メダルの払い出しを行っている間、送風／吸気口９０から送風される。これにより、送風／吸気口９０付近の異物を吹き飛ばすことができるので、異物に起因する問題を防止できる。さらに、ホッパ装置５０では、送風／吸気口９０がメダル保持孔７２に対面する位置に設けられているため、送風／吸気口９０から送風されると、メダル保持孔７２に保持されたメダルに風が当たり、メダル保持孔７２に保持されたメダルとベース板５６との摩擦を減らすことができる。これにより、摩擦によるゴミの発生や汚れの付着を防止できるだけでなく、ロータリーディスク５４の回転抵抗を低減できる。
【００２９】
なお、本発明は、ベース板に形成した送風／吸気口（開口）から送風または吸気を行えればよいので、細部の構成は上記実施形態に限定されず適宜変更できる。例えば、上記実施形態では、箱体内に吸引された異物を回収するためのトレイを設ける例で説明をしたが、トレイを廃止してもよい。この場合、箱体内に吸引された異物を回収するために、箱体の一部を開閉式にすることが好ましい。
【００３０】
また、上記実施形態では、ファンをベース板の背後に設ける例で説明をしたが、本発明はこれに限定されるものではない。例えば、図９に示すように、箱体１２０の側面に円形の吸排気口１２２を設け、ここにファン１２４を配置してもよい。このようにしても、ファン１２４を回転させることで送風／吸気口９０から送風や吸気を行うことができるので、上記実施形態と同様の効果を得ることができる。また、本例では、上記実施形態のような特殊な形状（中空ドーナツ型）のファンではなく、中心にモータ（送風／吸気モータ）が配置された周知のファンを用いることができるのでコストを抑えることができる。なお、図９以降の図面を用いた説明では、上述した実施形態と同様の部材については同様の符号を付して説明を省略している。
【００３１】
さらに、上記実施形態では、送風／吸気口がロータリーディスクの回転方向に沿って並べて配置された例で説明をしたが、送風／吸気口の形状や配置位置は適宜変更できる。例えば、図１０に示すベース板１３０のように、円形の送風／吸気口１３２を、収納部７６のほぼ全体に渡って配置してもよい。また、例えば、図１１に示すベース板１４０のように、部分円弧状の送風／吸気口１４２を、収納部７６の側壁７６ａに沿って設けてもよい。異物は収納部７６の側壁７６ａの近傍に溜まり易い傾向にあるが、図１１に示す例では、収納部７６の側壁７６ａの近傍に溜まった異物を確実に吹き飛ばしたり、吸引できる。もちろん、上記実施形態で説明した送風／吸気口や、図１０や図１１に示す送風／吸気口を組み合わせて用いてもよい。
【００３２】
また、上記実施形態では、ファンにより送風及び吸気の両方を行う例で説明をしたが、送風または吸気のいずれか一方のみを行うようにしてもよい。この場合、操作ボタンが押下されている間、送風（または吸気）を行うようにしたり、メダルの払い出しを行っている間、送風（または吸気）を行うようにするといったことが考えられる。
【００３３】
さらに、メダルタンクに貯留されたメダルの残量を検知する残量検知センサを設け、メダルタンクの残量が少なくなった際に、送風（または吸気）を行ってもよい。この場合、制御部が、残量検知センサからの信号に基づいてメダルタンクの残量を検知し、メダルタンクの残量が所定の閾値を下回る場合に、送風（または吸気）を行えばよい。メダルタンクの残量が多いと、メダルタンク内のメダルの密度が高く送風（または吸気）を行っても効率良く異物を吹き飛ばす（または吸引する）ことができないといった問題があるが、本例によれば、このような問題を防止し、効率良く異物を吹き飛ばす（または吸引する）ことができる。
【００３４】
さらに、送風または吸気を行うタイミングは自由に設定できるので、例えば、メダルの払い出しを行っている間は吸気を行い、操作ボタンが押下されている間は送風を行ってもよい。また、メダルの払い出しを行っている間は送風を行い、これ以外のときは吸気を行ってもよい。さらに、送風、吸気、ファン停止の３つの状態を切り替え可能なスイッチを設け、スイッチの位置に応じて送風、吸気、ファン停止を切り替えるようにしてもよい。
【００３５】
また、タイマや時計などの計時手段を設け、計時手段により計測された時間に応じて、送風（または吸気）やファン停止のタイミングを制御してもよい。この場合、所定の第１時間毎に第２時間だけ（例えば、１時間毎に１０秒間だけ）送風（または吸気）を行うといったことや、予め設定された設定時間になったことを契機に所定時間だけ（例えば、パチンコ店の営業終了時間になったときに１０分間だけ）送風（または吸気）を行うといったことや、予め設定された第１設定時間になったことを契機に送風（または吸気）を行い、予め設定された第２設定時間になったことを契機にファンを停止するといったことが考えられる。こうすることで、前述した操作ボタンやスイッチなどの操作によらず自動的に異物を吹き飛ばす（または吸引する）ことができるので便利である。
【００３６】
さらに、前述したメダルタンクの残量と、タイマにより計測された時間との両方に基づいて送風（または吸気）やファン停止のタイミングを制御するといったように、複数の条件に基づいて送風（または吸気）やファン停止のタイミングを制御してもよい。なお、送風（または吸気）やファン停止のタイミングを制御するための条件としては、メダルタンクの残量、タイマにより計測された時間の他、メダル払い出し時か否か、操作ボタンが押下されているか否か、切り替えスイッチの位置などが挙げられる。
【００３７】
また、送風（または吸気）やファン停止のタイミングを設定するための設定操作部を設け、この設定操作部を操作することで、送風（または吸気）やファン停止のタイミングをオペレータが自由に設定できるようにしてもよい。パチンコ店側の事情（例えば、休業日や営業時間の違い）やメダル払い出し機の搭載された機器の種類などに応じて送風（または吸気）やファン停止のタイミングを決定できるので便利であるだけでなく、より効果的に異物を吹き飛ばす（または吸引する）ことができる。
【００３８】
さらに、上記実施形態では、ロータリーディスクと回転羽根とを別々のモータで回転させる例で説明をしたが、これらを共通のモータで回転させてもよい。この場合、例えば、共通の回転軸にロータリーディスクと回転羽根とを取り付け、この回転軸をモータによって回転させればよい。こうすることで、回転軸の回転に伴い、ロータリーディスクとファンとが一体になって回転する。
【００３９】
また、ロータリーディスクと回転羽根とを共通のモータで回転させる場合、モータの回転軸に連結されて、モータの回転に伴って回転する第１、第２の２つのギア（またはギア群）を設け、第１ギア（ギア群）を介してモータの駆動力をロータリーディスクに伝達し、第２ギア（ギア群）を介してモータの駆動力を回転羽根に伝達してもよい。こうすることで、１つモータによりロータリーディスクと回転羽根とを回転させることができる。また、本例では、第１ギア（ギア群）と第２ギア（ギア群）とのギア比（ギア群全体を１つのギアとみなしたときのギア比）を異ならせることによって、ロータリーディスクと回転羽根の回転速度を異ならせることができる。なお、ロータリーディスクと回転羽根の回転速度を異ならせる場合は、異物を確実に吹き飛ばしたり吸引できるように、回転羽根の回転速度がロータリーディスクの回転速度よりも速くなるように構成することが好ましい。もちろん、ロータリーディスクと回転羽根とを共通のモータで回転させる機構としては、上記に限定されず、周知の各種機構を用いることができる。
【００４０】
なお、上述の実施形態では、本発明をスロットマシン及びスロットマシンで使用するメダルを貸し出すメダル貸出機に適用する例で説明したが、これに限定されず、硬貨を払い出す両替機、自動販売機などに本発明を適用してもよい。
【図面の簡単な説明】
【００４１】
【図１】島設備の外観図である。
【図２】ホッパ装置の外観図である。
【図３】ロータリーディスクの下面にベース板が配置され、ベース板の背面にファンが取り付けられている様子を示す説明図である。
【図４】ファンの分解図である。
【図５】ベース板及び箱体の外観図である。
【図６】ホッパ装置の電気的構成の概略を示すブロック図である。
【図７】吸気が行われる手順を示すフローチャートである。
【図８】送風が行われる手順を示すフローチャートである。
【図９】ファンを箱体の側面に配置した例を示す説明図である。
【図１０】ベース板の平面図である。
【図１１】ベース板の平面図である。
【符号の説明】
【００４２】
１０  島設備
２０  メダル貸出機
３０  スロットマシン
５０  ホッパ装置（メダル払い出し装置）
５２  メダル貯留箱
５４  ロータリーディスク
５６、１３０、１４０  ベース板（下面板）
５８、１２０  箱体
７２  メダル保持孔
９０、１３２、１４２  送風／吸気口（開口）
９２、１２４  ファン
１０２、１２２  吸排気口
１０４  トレイ
１０６  操作ボタン
１１０  制御部
【図１】
2009142549.tif 000003
【図２】
2009142549.tif 000004
【図３】
2009142549.tif 000005
【図４】
2009142549.tif 000006
【図５】
2009142549.tif 000007
【図６】
2009142549.tif 000008
【図７】
2009142549.tif 000009
【図８】
2009142549.tif 000010
【図９】
2009142549.tif 000011
【図１０】
2009142549.tif 000012
【図１１】
2009142549.tif 000013